(57)【要約】【課題】掃除機や集塵機に備わる吸引フアンの羽根は回転により遠心力を発生する機能を有しこの遠心力を利用して塵を分離するもの遠心力バリア形成板を付加してさらに機能を強め排気循環型に対応し吸引ノズルから有る程度離れた塵を吸引しノズルの入らない隙間や隠れた塵を吸引出来き回転部分の安全性を計った掃除機や集塵機。【解決手段】吸引フアンの羽根の回転による遠心力を塵分離に利用する。吸引フアンの羽根の周辺部に通気性を有する遠心力バリア形成板を設ける。遠心力のバリアを形成して塵が空気の吸引口に近ずくのを阻止する。空気は遠心力バリア形成板の遠心力に逆らって空気の吸引口より吸引し排出する事で塵と空気を分離する。塵分離部を塵溜容器の前方に配置し回転部分を離し安全性の確保を計る。吸引フアンの羽根の周辺に下面側から上面側に螺旋状に一周する導入路を設ける。導入路に導入された大きな塵は慣性力で塵溜容器に落とす。吸引ノズルの周りに排気ノズルを巡らせ横方向からの吸引を遮断し前方方向に吸引力を集中させる。【選択図】  図１
2004202188.tif 000002
【特許請求の範囲】
【請求項１】
掃除機や集塵機に備わる吸引フアンの羽根１は回転により遠心力を発生させる機能を持ち、この機能を利用して物理的な力で塵と空気を分離するもので、塵分離部の空気の吸引口３となる吸引フアンの羽根１の吸引口の周囲の空気に遠心力を働かせることで塵を空気の吸引口３から遠ざけて遠心力と重力で塵溜容器８に落とし、一方空気は遠心力に逆らって空気の吸引口３から吸引し排出することで塵と空気を分離するようにした掃除機や集塵機。
【請求項２】
吸引フアンの羽根１の円周部近くに設け空気の吸引口３に向かう空気を遮る形で設けられた通気性を有する材料で作られた回転板で、吸引フアンの羽根１と共に回転し近接する周囲の空気に強力な遠心力によるバリアを形成することで塵が塵分離部の空気の吸引口３に近ずくことを阻止し、一方空気は遠心力に逆らって通気性を有する板である遠心力バリア形成板２を通して吸引フアンにより吸引し排出することにより塵と空気を分離する機能を附加した吸引フアンの羽根１及びこの機能を付加した請求項１記載の掃除機や集塵機。
【請求項３】
吸引フアンの羽根１の回転による遠心力でも羽根の内部で塵は分離され周辺部に集まりこの塵を塵分離部に戻す為に羽根の周辺側壁部に塵戻し間隙７を設けた請求項１及び請求項２記載の掃除機や集塵機の吸引フアン。
【請求項４】
塵分離部を塵溜容器８の前方に配置し、塵分離部にモーター５により駆動される吸引フアンを羽根１を上面にして設け周囲に羽根１の下面側から上面側に螺旋状に一周する塵と空気の導入路６を設け、塵と空気の導入路６の塵溜容器８側には慣性力で塵を塵溜容器８に落とす大きな塵の落下口１０を備えまた吸引フアンの羽根１の上面側には小さな塵と空気の導入口７を備えて小さな塵と空気を遠心力の働く羽根１の上面側に導き、吸引フアンの羽根の上面側に導かれた塵は遠心力と重力で小さな塵の落下口１１より塵溜容器８に落とし、一方空気は遠心力に逆らって空気の吸引口３より吸引し排出されることで塵と空気を分離する様にしたもので塵分離部と塵溜容器８を前後に分ける事で回転部分を塵溜容器８から離し回転部分の安全性の確保が計られた請求項１及び請求項２記載の掃除機や集塵機。
【請求項５】
吸引ノズルの周囲に排気ノズルを巡らせて排気空気のエアーカーテンを形成し吸引ノズルの吸引口３１、４１の横方向からの吸引を遮断し吸引力を前方方向に集中させる事で吸引ノズルから有る程度離れた塵を吸引する事を可能にした吸引ノズル及び本吸引ノズルを備えた請求項１及び請求項２記載の掃除機や集塵機。
【発明の詳細な説明】
【０００１】
【発明の属する技術分野】
掃除機や集塵機に備わる吸引フアンの羽根の回転による遠心力を利用して慣性力や遠心力や重力等の物理的な力で塵と空気を直接分離するもので塵分離部を塵溜容器の前方に配置することで回転部分の安全性の確保を計り排気循環方式に対応し吸引ノズルから有る程度離れた塵を吸引する機能を備えた掃除機や集塵機に関する。
【０００２】
【従来の技術】
掃除機に紙パックやフィルターを使用したものがあるが集塵するにつれて目詰等により集塵能力は低下し紙パックの交換やフィルターの掃除等が必要である。
【０００３】
空気を回転させ遠心力を利用したサイクロン方式の掃除機も有るが構造が複雑となり空気抵抗等により回転にも限度があり小さな塵まで分離するのは困難である。
【０００４】
【発明が解決しようとする課題】
駆動モーターによる強制的な力で空気を回転させて強力な遠心力で塵を分離する。
【０００５】
フィルターの掃除も紙パックの交換も必要の無い経済的で目詰り等による吸引能力の低下の無い掃除機や集塵機。
【０００６】
空気を紙パックの塵の中を通さない衛生的な掃除機や集塵機。
【０００７】
吸引フアンの羽根の回転による遠心力を利用し物理的な力で塵を分離する。
【０００８】
空気の吸引口の周りに強力な遠心力のバリアを形成して塵の接近を阻止しする。
【０００９】
モーター負荷の軽減の為に遠心力発生板及び遠心力バリア形成板を簡単で軽量な構造とし省スペース化を計る。
【００１０】
吸引フアンの羽根自身の回転による遠心力でも塵は羽根の内部で分離されるのでこの塵を外に出さない。
【００１１】
回転部分を塵溜容器から離すことで安全性を確保する。
【００１２】
排気循環方式に対応出来る掃除機とする。
【００１３】
吸引ノズルから有る程度離れた塵を吸引しノズルの入らない隙間等の隠れた塵を吸引する。
【００１４】
家具や天井等に直接ノズルが触れないで塵を吸引する。
【００１５】
【課題を解決するための手段】
回転部分の安全性確保の為に塵分離部を塵溜容器の前方に分けて配置し回転部分を塵溜容器から離す。
【００１６】
塵分離部に吸引フアンの羽根を上面に向けて設ける。
【００１７】
吸引フアンの羽根の周辺に羽根の下面側から上面側に螺旋状に一周する塵と空気の導入路を設ける。
【００１８】
塵と空気の導入路は塵溜容器側には慣性力と重力で落とす大きな塵の落下口を備え残った塵と空気を羽根の上面側に導入する塵と空気の導入口を備える。
【００１９】
吸引フアンの羽根の上面側の塵溜容器側には小さな塵の落下口を備える。
【００２０】
吸引フアンの羽根の回転により遠心力を発生する機能を利用して塵と空気を分離する。
【００２１】
吸引フアンの羽根の円周部近くに通気性を有する板で作られた回転板である遠心力バリア形成板を空気の出口に向かう空気を遮る形で設ける。
【００２２】
遠心力バリア形成板による遠心力のバリアで塵が空気の出口に接近するのを阻止し一方空気は遠心力に逆らって空気の吸引口より吸引し排出することで塵と空気を分離する。
【００２３】
吸引フアンの上面側に導入された塵は遠心力と遠心力バリア形成板の遠心力のバリアで塵の吸引口３への接近を阻止される。
【００２４】
一方空気は遠心力に逆らって通気性を有する板である遠心力バリア形成板を通して吸引し排出することで塵と空気を分離する。
【００２５】
吸引フアンの羽根自身の回転による遠心力でも塵は分離され塵の集まる羽根の周辺側壁に塵戻し間隙を作りこの塵を塵分離部に戻し外に出さないようにしまた羽根自身の回転のための間隙を兼ねる。
【００２６】
モーターによる直接駆動が可能なように遠心力発生板及び遠心力バリア発生板は簡単な構造とし軽量な材料を用いる。
【００２７】
吸引ノズルから有る程度離れた塵を吸引するため吸引ノズルの周囲に排気ノズルを巡らせ排気空気のエーカーテンを形成する事で横方向からの吸引を遮断し前方方向に吸引力を集中する。
【００２８】
【発明の実施の形態】
図により本発明を掃除機に実施したものの構造について説明する。
塵溜容器８の前方に配置された塵分離部に吸引フアンの羽根１を上面にして設ける。
【００２９】
吸引フアンの羽根１の周囲を下面側から上面側に螺旋状に一周する塵と空気の導入路６を設ける。
【００３０】
塵と空気の導入路６の塵溜容器８側には大きな塵の落下口１０を備え慣性力と重力で落し残った塵と空気を小さな塵と空気の導入口７より遠心力の働く羽根１の上面側に導入する。
【００３１】
吸引フアンの羽根１の上面側の塵溜容器８側にはには遠心力と重力で塵を落とす小さな塵の落下口１１を設ける。
【００３２】
塵分離部に設けられた吸引フアンの羽根１は回転することで周囲の空気を回転させ遠心力を発生させる機能を持ちこの機能を利用して塵を分離する。
【００３３】
遠心力バリア形成板２は通気性を有する板で作られた回転板で吸引フアンの羽根１の周辺部に設け空気の出口３に向かう空気を遮る形に設けられ吸引フアンの羽根１と共に回転し近接する空気に強力な遠心力によるバリアを形成し塵の空気の出口３への接近を阻止する。
【００３４】
一方空気は遠心力に逆らって通気性を有する板である遠心力バリア形成板２を通して吸引フアンで吸引し掃除機の排出口９より排出して塵と空気を分離する。
【００３５】
吸引フアン自身の回転による遠心力でも僅かに残る塵は内部で分離されこの塵が集まる羽根の周辺側壁に塵戻し間隙４を設け塵を塵分離部に戻し外に出さない。
【００３６】
吸引ノズルの外側には排気ノズルが巡らされ吸引ノズルの外側に排気空気のエアーカーテンを形成して吸引口３１、４１の横方向からの吸引を遮断し前方方向に吸引力を集中する。
【００３７】
図により塵分離の過程について説明する。
塵と空気は共に掃除機の吸引ノズルから吸い込まれ塵と空気の導入路６に導かれる。
【００３８】
塵と空気の導入路６の大きな塵の落下口１０より大きな塵は慣性力と重力により塵溜容器８に落下させる。
【００３９】
残った塵と空気は共に小さな塵と空気の導入口７より吸引フアンの羽根１の上面側に導入され羽根１の回転による遠心力及び遠心力バリア形成板２による遠心力のバリアにより塵は空気の出口３から遠ざけられ遠心力と重力により小さな塵の落下口１１から塵溜容器８に落下する。
【００４０】
一方空気は遠心力に逆らって空気の出口３に向かって吸引され掃除機の排出口９より排出される事で塵と空気は分離される。
【００４１】
吸引フアンの羽根１の回転による遠心力でも羽根の内部で塵は分離されるがこの塵は塵の集まる吸引フアンの円周側壁に設けた塵戻し隙間４より塵分離部に戻される。
【００４２】
吸引ノズルの外側を囲む排気ノズルのエアーカーテンで吸気口３１、４１の横方向からの吸引を遮断されて吸引力は前方方向に集中され吸引ノズルから有る程度離れたた塵を吸引する事が出来る。
【００４３】
遠心力発生板について詳細に説明する。
吸引フアンの羽根１は回転により周囲の空気を回転させ遠心力を発生する機能を備え塵分離に利用出来るが更に円周部近くに回転板を付加することで遠心力を強める事もできる。
【００４４】
遠心力発生板の表面に凹凸を設けたり短い羽根を設けて遠心力の効果を高める事も出来るがモーターの負荷が増大する。
【００４５】
遠心力バリア形成板２について詳細に説明する。
遠心力バリア形成板２は多数のスリット又は小穴を設けるかメッシュ又は不織布等の様に通気性を有する軽量な材料で作られている。
【００４６】
遠心力バリア形成板２は空気の出口３に向かう空気を遮る形に設けられ吸引フアンの羽根１と共に直接モーターで駆動されて回転し近接する空気に強力な遠心力によるバリアを形成し塵の接近を妨げ一方空気は遠心力に逆らって吸引フアンで吸引し掃除機の排出口９より排出する事で塵と空気を分離する。
【００４７】
遠心力バリア形成板２は空気の出口３に向かう空気の全てが通れるだけの通気性と面積が必要である。
【００４８】
遠心力バリア形成板２は遠心力によるバリアを形成すると共に遠心力も発生するもので遠心力発生板の機能を兼ねることが出来この場合には遠心力発生板は省略出来る。
【００４９】
吸引ノズルについて詳細に説明する。
吸引ノズルの外側に排気ノズルを巡らせて排気空気のエアーカーテンを巡らせて吸気口３１、４１の横方向からの吸引を遮断し吸引力を前方方向に集中させる事で有る程度離れた塵を吸引する。
【００５０】
排気ノズルは図３の様に外側に角度を持たせれば広い範囲を吸引出来るが吸引力は弱くなり図４の様に内側に角度を持たせれば吸引範囲は狭くなるが吸引力は強くなる。
【００５１】
吸引口３１、４１の形状は細長くすることも出来る。
【００５２】
整流板３３、４３は排気空気の流れを整え内側に抵抗を与える事で外側の流れを速くしてエアーカーテンの外側への膨らみを抑える為ものである。
【００５３】
排気空気の量と吸引空気の量は等しく排気空気は全て吸引され排気空気によって塵を吹き散らかす事にはならない。
【図面の簡単な説明】
【図１】本発明の一実施例の掃除機本体の横断面図
【図２】図１のＡ−Ａの縦断面図
【図３】本発明の吸引ノズルの一実施例の横断面図
【図４】本発明の吸引ノズルの他の実施例の横断面図
【符号の説明】
１      吸引フアンの羽根
２      遠心力バリア形成板
３      空気の吸引口
４      塵戻し間隙
５      モーター
６      塵と空気の導入路
７      小さな塵と空気の導入口
８      塵溜容器
９      掃除機の排気出口
１０      大きな塵の落下口
１１      小さな塵の落下口
１２      肩吊りバンド
３１、４１  吸引ノズルの吸気口
３２、４２  排気口
３３、４３  整流板
【図１】
2004202188.tif 000003
【図２】
2004202188.tif 000004
【図３】
2004202188.tif 000005
【図４】
2004202188.tif 000006